(57)【特許請求の範囲】
【請求項１】
ランプ及びランプを調光点灯させる調光点灯手段からなる照明器具と、ランプの光が照射される被照射面の明るさを検出する明るさセンサと、明るさセンサの検出値が略一定の明るさとなるように調光点灯手段を制御する定照度制御モード又は明るさセンサの検出値と無関係に略一定の調光レベルで調光点灯手段を制御する定出力制御モードの内何れかの制御モードで調光点灯手段を制御する制御手段と、外部から入力されるモード切換信号に応じて制御手段の制御モードを定照度制御モード又は定出力制御モードの何れかに切り換える制御モード切換手段と、調光点灯手段の調光状態を外部より切り替えるための接点信号が入力される１乃至複数の接点入力部とを備え、前記制御モード切換手段は、前記接点入力部に接点信号が入力される際の制御モードを前記モード切換信号に応じて設定することを特徴とする照明装置。
【発明の詳細な説明】
【０００１】
【発明の属する技術分野】
本発明は、照明装置に関するものである。
【０００２】
【従来の技術】
従来の照明装置の概略構成図を図２０に、ブロック図を図２１に夫々示す。この照明装置は、例えば蛍光灯などのランプ１２及び信号線Ｌ１を介して入力される調光信号Ｓ１に応じてランプ１２を調光点灯させる調光点灯部１１を具備した複数の照明器具１０と、ランプ１２の光による被照射面（例えば制御部１付近の床面３０など）からの反射光を受光して被照射面の明るさを検出する明るさセンサ３と、複数の照明器具１０が信号線Ｌ１を介して接続され、各照明器具１０の調光状態を制御する制御部１とで構成され、制御部１は、外部機器（図示せず）から入力される接点信号や明るさセンサ３の検出値Ｓ３に応じて、信号線Ｌ１に出力する調光信号Ｓ１を変化させ、調光点灯部１１の出力を制御している。
【０００３】
ここで、制御部１の制御モードには、明るさセンサ３の検出した被照射面の明るさに応じて、被照射面の明るさが略一定の明るさ（照度）となるように調光点灯部１１の出力を制御する制御モード（以下、この制御モードを定照度制御モードという。）と、明るさセンサ３の検出値Ｓ３と無関係に調光点灯部１１を略一定の調光比（調光レベル）で制御する制御モード（以下、この制御モードを定出力制御モードという。）の２つの制御モード
がある。
【０００４】
通常、制御部１は定照度制御モードで動作しており、明るさセンサ３の検出した被照射面の明るさが略一定の明るさとなるように、調光点灯部１１の出力を制御している。ここで、例えば非常時において照明制御盤などの外部機器から制御部１に接点信号が入力されると、制御部１は、入力された接点信号に応じて制御モードを定照度制御モードから定出力制御モードに切り換え、明るさセンサ３の検出値Ｓ３と無関係に調光点灯部１１を予め設定された調光比（例えば１００％点灯）で制御していた（例えば特開平１０−３２０９０号公報参照）。
【０００５】
【発明が解決しようとする課題】
上記構成の照明装置では、制御部１は通常定照度制御モードのみで動作しており、非常時に外部機器から接点信号が入力された場合、その制御モードは定出力制御モードにしか切り替わらなかった。そのため、ランプ１２による照明空間内にいる人が調光点灯部１１を略一定の調光比で点灯させたくても、制御部１が定照度制御モードで動作している場合は、調光点灯部１１の出力が変化するため、調光点灯部１１を略一定の調光比で点灯させることができないという問題があった。また、外部機器では、制御部１の制御モードを定出力制御モードにしか切り換えることができなかったため、使用状態に応じた制御モードで動作させることができず、使い勝手が良くないという問題もあった。尚、非常時に全ての照明器具１０のランプ１２を全点灯させる場合を考慮すると、外部機器からの接点信号に応じて制御部１が調光点灯部１１を略一定の調光比（例えば１００％点灯）に制御するような定出力制御モードも必要であった。
【０００６】
また、制御部１には、調光点灯部１１に出力する調光信号Ｓ１と調光比との関係を示す調光データが予め記憶されているが、調光点灯部１１の種類によっては調光下限などが異なるため、調光点灯部１１の種類に応じて、調光データを対応する調光データに切り換える必要があった。したがって、製品出荷時に制御部１に接続される調光点灯部１１の種類を特定し、その種類に合わせた調光データを制御部１に設定して出荷したり、制御部１を現場で設置する際に制御部１に設けられた設定スイッチなどの設定操作を行って、対応する調光点灯部１１の種類に合わせた調光データを制御部１に設定したりする必要があり、施工性が悪いという問題があった。
【０００７】
本発明は上記問題点に鑑みて為されたものであり、その目的とするところは、使用状態に応じた制御モードを選択することのできる照明装置を提供することにある。
【０００８】
【課題を解決するための手段】
上記目的を達成するために、請求項１の発明では、ランプ及びランプを調光点灯させる調光点灯手段からなる照明器具と、ランプの光が照射される被照射面の明るさを検出する明るさセンサと、明るさセンサの検出値が略一定の明るさとなるように調光点灯手段を制御する定照度制御モード又は明るさセンサの検出値と無関係に略一定の調光レベルで調光点灯手段を制御する定出力制御モードの内何れかの制御モードで調光点灯手段を制御する制御手段と、外部から入力されるモード切換信号に応じて制御手段の制御モードを定照度制御モード又は定出力制御モードの何れかに切り換える制御モード切換手段と、調光点灯手段の調光状態を外部より切り替えるための接点信号が入力される１乃至複数の接点入力部とを備え、制御モード切換手段は、接点入力部に接点信号が入力される際の制御モードをモード切換信号に応じて設定することを特徴とし、制御モード切換手段は、モード切換信号に応じて制御手段の制御モードを定出力制御モード又は定照度制御モードに切り換えているので、制御モードの切り換えを容易に行うことができ、使用状態に応じた制御モードを選択することができる。しかも、接点信号入力時の制御モードがモード切換信号によって設定されるので、外部から調光状態を制御する場合でも使用状態に応じた制御モードを選択することができる。
【０００９】
【発明の実施の形態】
本発明の実施の形態を図面を参照して説明する。
【００１０】
（基本構成）
図１は照明装置の基本構成を示すブロック図である。この照明装置は、例えば蛍光灯な
どのランプ１２及びランプ１２を調光点灯させる調光点灯部（調光点灯手段）１１を具備した複数の照明器具１０と、複数の照明器具１０が信号線Ｌ１を介して接続され、各照明器具１０の調光状態を制御する制御部（制御手段）１と、ランプ１２の光による被照射面（例えば床面など）からの反射光を受光して被照射面の明るさを検出する第１の明るさセンサ（以下、明るさセンサと言う。）３と、操作に応じてワイヤレス信号（例えば赤外線などの光信号）により制御部１の制御モードを切り換えるためのモード切換信号を送信するワイヤレス信号送信部５と、ワイヤレス信号送信部５からワイヤレス信号で送信されたモード切換信号を受信するモード切換信号受信部たるワイヤレス信号受信部４とで構成される。
【００１１】
制御部１は、ワイヤレス信号受信部４の受信したモード切換信号Ｓ２や明るさセンサ３の検出値Ｓ３に応じて、信号線Ｌ１に出力する調光信号Ｓ１を変化させ、調光点灯部１１の出力を制御する。ここに、制御部１の制御モードには、明るさセンサ３の検出した被照射面の明るさ（照度）に応じて被照射面の明るさ（照度）が略一定の明るさとなるように調光点灯部１１を制御する定照度制御モードと、明るさセンサ３の検出値Ｓ３と無関係に略一定の調光比（調光レベル）で調光点灯部１１を制御する定出力制御モードの２つの制御モードがあり、通常、制御部１は定照度制御モード又は定出力制御モードの内の何れかの制御モードで動作し、調光点灯部１１の出力を制御している。
【００１２】
ここで、ユーザがワイヤレス信号送信部５を操作すると、ワイヤレス信号送信部５はユーザの操作に応じてモード切換信号をワイヤレス信号により送信し、ワイヤレス信号送信部５から送信されたモード切換信号をワイヤレス信号受信部４が受信する。ワイヤレス信号受信部４は受信したモード切換信号Ｓ２を制御部１に出力し、制御モード切換手段としての制御部１は、ワイヤレス信号受信部４からモード切換信号Ｓ２が入力されると、現在の制御モードと異なる制御モードに制御モードを切り換えている。
【００１３】
すなわち、図２に示すように制御部１が定出力制御モードで動作中に、ワイヤレス信号送信部５から送信されたモード切換信号をワイヤレス信号受信部４が受信し、受信したモード切換信号Ｓ２を制御部１に出力すると、制御部１は動作モードを定出力制御モードから定照度制御モードに切り換える。また、制御部１が定照度制御モードで動作中に、ワイヤレス信号送信部５から送信されたモード切換信号をワイヤレス信号受信部４が受信し、受信したモード切換信号Ｓ２を制御部１に出力すると、制御部１は動作モードを定出力制御モードに切り換える。
【００１４】
このように、ワイヤレス信号送信部５の操作によって、制御部１の制御モードを切り換えることができるので、使用状態に応じて最適な制御モードを選択することができる。
【００１５】
（参考例１）
図３に本参考例の照明装置のブロック図を示す。上述した基本構成の照明装置では、ワイヤレス信号により送信されるモード切換信号を受信するワイヤレス信号受信部４を設け、ワイヤレス信号受信部４の受信したモード切換信号に応じて制御部１が制御モードを切り換えていたが、本参考例では、上述した基本構成の照明装置において、ワイヤレス信号受信部４の代わりに、切換操作（オン／オフ操作）に応じて接点状態が切り替わるスイッチ６を制御部１に設けており、スイッチ６の接点状態に応じて制御部１は制御モードを切り換えている。尚、スイッチ６以外の構成は基本構成の照明装置と同様であるので、同一の構成要素には同一の符号を付して、その説明を省略する。
【００１６】
ここで、制御部１はスイッチ６の接点状態に応じて制御モードを定照度制御モード又は定出力制御モードの何れかに切り換えており、例えば図４に示すように、スイッチ６の接点状態（スイッチ入力Ｓ４）がオン状態であれば、制御部１は定出力制御モードで動作し、スイッチ６の接点状態がオフ状態であれば、制御部１は定照度制御モードで動作する。
【００１７】
このように、スイッチ６のオン／オフ操作により、制御部１の制御モードを定照度制御モード又は定出力制御モードの何れかに容易に切り換えることができるので、使用状態に応じて最適な制御モードを選択することができる。また、スイッチ６のオン／オフによって制御モードが選択されるので、スイッチ６の切換状態から現在の制御部１の制御モードを容易に確認することもできる。
【００１８】
（参考例２）
図５に別の参考例のブロック図を示す。上述した基本構成の照明装置では、ワイヤレス信号により送信されるモード切換信号を受信するワイヤレス信号受信部４を設け、ワイヤレス信号受信部４の受信したモード切換信号に応じて制御部１が制御モードを切り換えていたが、本参考例では、上述した基本構成の照明装置において、ワイヤレス信号受信部４の代わりに、人体から放射される熱線を検知することにより検知エリア内の人の存否を検知する例えば焦電センサからなる人感センサ７を設けており、人感センサ７の検知信号Ｓ５に応じて制御部１は制御モードを切り換えている。尚、人感センサ７以外の構成は基本構成の照明装置と同様であるので、同一の構成要素には同一の符号を付して、その説明を省略する。
【００１９】
通常、制御部１は定出力制御モードで動作しており、調光点灯部１１を略一定の調光比（調光レベル）で制御している。例えば図６に示すように時刻ｔ１において人感センサ７が人の存在を検知し、人感センサ７の検知信号Ｓ５が制御部１に入力されると、制御部１は制御モードを定出力制御モードから定照度制御モードに切り換えると共に、制御部１に設けられた内部タイマ（図示せず）に所定の動作保持時間Ｔ１の限時動作を開始させる。そして、内部タイマの限時動作が終了すると、制御部１は制御モードを定照度制御モードから定出力制御モードに切り換える。ここで、内部タイマの限時動作中に人感センサ７が人を再検知し、制御部１に人感センサ７の検知信号が入力されると、内部タイマはリトリガされ、その時点から動作保持時間Ｔ１の限時動作を再開するので、定照度制御モードで動作する時間が延長される。
【００２０】
このように、人感センサ７の検知信号、すなわち人の存否に応じて、制御部１の制御モードを定照度制御モード又は定出力制御モードに切り換えることができるので、使用状態に応じて制御モードを自動的に選択することができる。
【００２１】
（参考例３）
図７はまた別の参考例のブロック図である。上述した基本構成の照明装置では、ワイヤレス信号により送信されるモード切換信号を受信するワイヤレス信号受信部４を設け、ワイヤレス信号受信部４の受信したモード切換信号に応じて制御部１が制御モードを切り換えていたが、本参考例では、上述した基本構成の照明装置において、ワイヤレス信号受信部４の代わりに、ランプ１２の光以外の外光のみによる周囲の明るさを検出する第２の明るさセンサ（以下、明るさセンサと言う。）８を設けており、明るさセンサ８の検出値Ｓ６に応じて制御部１は制御モードを切り換えている。尚、明るさセンサ８以外の構成は基本構成の照明装置と同様であるので、同一の構成要素には同一の符号を付して、その説明を省略する。
【００２２】
ここで、図８に示すように、明るさセンサ８の検出した周囲の明るさが所定のしきい値レベルＬ１よりも暗い場合、制御部１は定出力制御モードで動作し、明るさセンサ８の検出した周囲の明るさがしきい値レベルＬ１以上になると、制御部１は定照度制御モードで動作する。
【００２３】
ところで、外光による周囲の照度が暗い場合に、制御部１が定照度制御モードで動作していると、被照射面の明るさを所定の明るさにするために、調光点灯部１１の出力が大きくなる虞があるが、明るさセンサ８の検出値Ｓ６がしきい値レベルＬ１よりも暗くなると、制御部１は制御モードを定照度制御モードから定出力制御モードに切り換えているので、調光点灯部１１を略一定の調光比に制御でき、その出力が大きくなるのを防止できる。
【００２４】
また、外光によって周囲が明るくなり、明るさセンサ８の検出値Ｓ６がしきい値レベルＬ１以上になると、制御部１は制御モードを定出力制御モードから定照度制御モードに切り換え、被照射面の明るさが略一定の明るさとなるように調光点灯部１１の出力を制御しているので、周囲が明るい場合は調光点灯部１１の出力が小さくなり、省エネを図ることができる。このように、制御部１は周囲の明るさに応じて制御モードを切り換えているので、使用状態に応じて最適な制御モードを選択することができる。
【００２５】
尚、本参考例では、被照射面の明るさを検出する明るさセンサ３の他に、外光の明るさのみを検出する明るさセンサ８を設け、明るさセンサ８の検出値Ｓ６に応じて制御部１が制御モードを切り換えているが、被照射面の明るさを検知する明るさセンサ３の検出値Ｓ３に応じて制御モードを切り換えるようにしても良く、上述と同様の効果を奏するものである。
【００２６】
すなわち、図９に示すように、被照射面の明るさが照明器具１０のランプ１２の光のみによる明るさであり、明るさセンサ３の検出値Ｓ３が所定のしきい値レベルＬ２よりも暗くなる場合、制御部１は定出力制御モードで動作する。一方、外光によって周囲が明るくなり、被照射面の明るさがランプ１２の光と外光の両方による明るさとなって、明るさセンサ３の検出値Ｓ３が所定のしきい値レベルＬ２以上になる場合、制御部１は定照度制御モードで動作する。
【００２７】
（参考例４）
図１０はさらに別の参考例のブロック図である。上述した基本構成の照明装置では、ワイヤレス信号により送信されるモード切換信号を受信するワイヤレス信号受信部４を設け、ワイヤレス信号受信部４の受信したモード切換信号に応じて制御部１が制御モードを切り換えていたが、本参考例では、上述した基本構成の照明装置において、ワイヤレス信号受信部４の代わりに、予め設定された日時にモード切換信号Ｓ７を発生するタイマたる照明制御盤９を設けており、制御部１は照明制御盤９の発生するモード切換信号Ｓ７に応じて制御モードを切り換えている。尚、照明制御盤９以外の構成は基本構成の照明装置と同様であるので、同一の構成要素には同一の符号を付して、その説明を省略する。
【００２８】
ここで、図１１に示すように、照明制御盤９は予め設定された時刻（例えば午前９時（９：００）と午後６時（１８：００））にモード切換信号Ｓ７を発生しており、制御部１は、午前９時から午後６時までの昼間には定照度制御モードで動作し、午後６時から午前９時までの夜間には定出力制御モードで動作している。このように、照明制御盤９から所定の時刻に入力されるモード切換信号Ｓ７に応じて制御部１が制御モードを切り換えているので、時間帯に応じて制御モードを切り換えることができる。
【００２９】
なお、図１２に示すように照明制御盤９から入力されるモード切換信号Ｓ７は接点信号（オン／オフ信号）でも良く、午前９時から午後６時までの昼間はモード切換信号Ｓ７をオフとし、制御部１がモード切換信号Ｓ７に応じて制御モードを定照度制御モードに切り換えると共に、午後６時から午前９時までの夜間はモード切換信号Ｓ７をオンとし、制御部１がモード切換信号Ｓ７に応じて制御モードを定照度制御モードに切り換えても良い。
【００３０】
（実施形態）
図１３は本実施形態の照明装置のブロック図である。本実施形態では、上述した基本構成の照明装置において、各調光点灯部１１の調光状態を切り換えるための１乃至複数の接点信号を制御部１に出力する照明制御盤９を設けており、制御部１は、照明制御盤９から入力される接点信号に応じて調光点灯部１１の調光状態を切り換えている。尚、照明制御盤９以外の構成は上述した基本構成と同様であるので、同一の構成要素には同一の符号を付して、その説明を省略する。
【００３１】
また、制御部１は、図１４に示すように、照明制御盤９から１乃至複数（例えば３個）の接点信号Ｓ８〜Ｓ１０が夫々入力される接点信号入力回路（接点信号入力部）２４ａ〜２４ｃと、明るさセンサ３の検出値Ｓ３や接点信号入力回路２４ａ〜２４ｃに夫々入力される接点信号Ｓ８〜Ｓ１０やワイヤレス信号受信部４の受信したモード切換信号Ｓ２に応じて調光点灯部１１の出力を制御する制御信号を発生するＣＰＵ２１と、ＣＰＵ２１の制御信号に応じた調光信号Ｓ１を出力する調光信号出力回路２２と、商用電源ＡＣから電源供給されＣＰＵ２１や調光信号出力回路２２などの動作電源を生成する電源回路２３とで構成される。
【００３２】
制御部１の制御モードとしては、基本構成の照明装置と同様に、定照度制御モードと定出力制御モードの２つの制御モードがある。通常、制御部１は定出力制御モードで動作し、調光点灯部１１の出力を所定の調光比に制御している。一方、照明制御盤９から接点信号Ｓ８〜Ｓ１０が入力されると、制御部１は予め設定された制御モードで動作し、定出力制御モードの場合は調光点灯部１１を各接点信号Ｓ８〜Ｓ１０に夫々対応する調光比で制御し、定照度制御モードの場合は被照射面の明るさが各接点信号Ｓ８〜Ｓ１０に夫々対応
する明るさとなるように調光点灯部１１の出力を制御する。
【００３３】
ここで、制御部１には、接点信号Ｓ８〜Ｓ１０が入力された際に定出力制御モード又は定照度制御モードのどちらの制御モードで動作するかを記憶するメモリ（図示せず）が設けられており、制御部１は、ワイヤレス信号受信部４が受信したモード切換信号Ｓ２に応じて、メモリの設定を定照度制御モード又は定出力制御モードに交互に切り換えている。
【００３４】
例えば、図１５に示すように、接点信号Ｓ８〜Ｓ１０の入力時における制御モードが定出力制御モードに設定されており、接点信号Ｓ８〜Ｓ１０が入力されていない状態で、時刻ｔ２においてユーザがワイヤレス信号送信部５を操作し、ワイヤレス信号送信部５からワイヤレス信号により送信されたモード切換信号Ｓ２をワイヤレス信号受信部４が受信すると、ワイヤレス信号受信部４の受信したモード切換信号Ｓ２に応じてＣＰＵ２１はメモリの設定を定出力制御モードから定照度制御モードに切り換える。
【００３５】
次に、時刻ｔ３において何れかの接点信号入力回路２４ａ〜２４ｃに接点信号Ｓ８〜Ｓ１０が入力されると、ＣＰＵ２１はメモリに設定された制御モードすなわち定照度制御モードで動作し、明るさセンサ３の検出した被照射面の照度が、入力された接点信号Ｓ８〜Ｓ１０に対応する照度となるように調光点灯部１１の出力を制御する。その後、時刻ｔ４において接点信号Ｓ８〜Ｓ１０がオフになると、ＣＰＵ１は接点信号入力時の制御モード（定照度制御モード）から通常時の制御モード（定出力制御モード）に制御モードを切り換える。
【００３６】
ところで、図１５に示す例では接点信号Ｓ８〜Ｓ１０が入力されていない状態で、接点信号入力時の動作モードを切り換えているが、何れかの接点信号Ｓ８〜Ｓ１０が入力されている状態で、接点信号入力時の動作モードの切り換えを行っても良い。
【００３７】
図１６に示すように、接点信号Ｓ８〜Ｓ１０の入力時における制御モードが定出力制御モードに設定されている状態で、時刻ｔ５において何れかの接点信号入力回路２４ａ〜２４ｃに接点信号Ｓ８〜Ｓ１０が入力されると、ＣＰＵ２１はメモリに設定された制御モードすなわち定出力制御モードで動作し、明るさセンサ３の検出した被照射面の照度に関係無く、入力された接点信号Ｓ８〜Ｓ１０に対応する調光比に調光点灯部１１の出力を制御する。
【００３８】
次に、時刻ｔ６においてユーザがワイヤレス信号送信部５を操作し、ワイヤレス信号受信部４がワイヤレス信号送信部５からワイヤレス信号により送信されたモード切換信号Ｓ２を受信すると、ワイヤレス信号受信部４の受信したモード切換信号Ｓ２に応じてＣＰＵ２１はメモリの設定を定出力制御モードから定照度制御モードに切り換えると共に、定照度制御モードで動作する。この時、ＣＰＵ２１は、明るさセンサ３の検出した被照射面の照度が入力された接点信号Ｓ８〜Ｓ１０に対応する照度となるように調光点灯部１１の出力を制御する。その後、時刻ｔ７において接点信号Ｓ８〜Ｓ１０がオフになると、ＣＰＵ１は接点信号入力時の制御モード（定照度制御モード）から通常時の制御モード（定出力制御モード）に制御モードを切り換える。
【００３９】
このように、ワイヤレス信号送信部５を操作することによって、照明制御盤９から接点信号Ｓ８〜Ｓ１０が入力された際の制御部１の制御モードを切り換えることができるので、使用状態に応じて最適な制御モードを選択することができる。尚、本実施形態では、ワイヤレス信号受信部４がワイヤレス信号送信部５からワイヤレス信号で送信されたモード切換信号Ｓ２を受信すると、ＣＰＵ２１が接点信号入力時の制御モードを切り換えているが、参考例１〜４で説明したように、スイッチ６や人感センサ７や明るさセンサ８や照明制御盤９から入力されるモード切換信号に応じて、接点信号入力時の制御モードを切り換えるようにしても良い。また、ワイヤレス信号受信部４がワイヤレス信号送信部５から送信されたワイヤレス信号を受信すると、ＣＰＵ２１が接点信号入力時の動作を再現するようにしても良い。
【００４０】
（参考例５）
図１７は他の参考例を構成する制御部１のブロック図である。制御部１は、明るさセンサ３の検出値Ｓ３やワイヤレス信号受信部４の受信したモード切換信号Ｓ２に応じて調光点灯部１１の出力を制御する制御信号を発生するＣＰＵ２１と、ＣＰＵ２１の制御信号に応じた調光信号Ｓ１を出力する調光信号出力回路２２と、商用電源ＡＣから電源供給されＣＰＵ２１や調光信号出力回路２２などの動作電源を生成する電源回路２３と、調光点灯部１１の種類に応じて調光信号Ｓ１と調光比との関係がそれぞれ設定された調光データを複数記憶するメモリ２５とで構成され、ＣＰＵ２１はワイヤレス信号受信部４の受信したモード切換信号Ｓ２に応じて制御モードを定照度制御モード又は定出力制御モードの何れかに切り換えている。尚、制御部１以外の構成は基本構成の照明装置と同様であるので、同一の構成要素には同一の符号を付してその説明を省略する。
【００４１】
ここで、メモリ２５には、図１９に示すように、調光点灯部１１の種類に応じて調光信号Ｓ１と調光比との関係がそれぞれ設定された調光データＩ−１，Ｉ−２，ＩＩ−１，ＩＩ−２が記憶されている。図１８はワイヤレス信号送信部５の外観図であり、ワイヤレス信号送信部５の器体には、調光データＩ−１，Ｉ−２，ＩＩ−１，ＩＩ−２の選択操作を行うための選択キー５ａや、メモリ２５に記憶された調光データを表示する例えば液晶モニタなどの表示部５ｂや、選択キー５ａにより選択された調光データＩ−１，Ｉ−２，ＩＩ−１，ＩＩ−２を確定すると共に、選択した調光データを示す選択信号をワイヤレス信号によりワイヤレス信号受信部４に送信させる送信キー５ｃが設けられている。
【００４２】
例えば、ユーザがワイヤレス信号送信部５の選択キー５ａを用いて調光データＩ−２を選択した後、送信キー５ｃを操作すると、ワイヤレス信号送信部５は、ワイヤレス信号により調光データＩ−２を選択したことを示す選択信号を送信し、選択信号受信部たるワイヤレス信号受信部４はワイヤレス信号送信部５から送信された選択信号を受信する。この時、ＣＰＵ２１は、ワイヤレス信号受信部４が受信した選択信号に応じて、メモリ２５に記憶されている調光データＩ−２を用いて以後調光制御を行う。
【００４３】
このように、ワイヤレス信号送信部５の操作により、調光データを容易に切り換えることができるので、制御部１を様々な種類の調光点灯部１１と組み合わせて使用する場合でも、設置後に調光データの選択を行うことができ、施工性が向上する。尚、本参考例の構成を上述の実施形態および参考例１〜４に適用しても良く、本参考例と同様の効果を奏するものである。
【００４４】
【発明の効果】
上述のように、請求項１の発明は、ランプ及びランプを調光点灯させる調光点灯手段からなる照明器具と、ランプの光が照射される被照射面の明るさを検出する明るさセンサと、明るさセンサの検出値が略一定の明るさとなるように調光点灯手段を制御する定照度制御モード又は明るさセンサの検出値と無関係に略一定の調光レベルで調光点灯手段を制御する定出力制御モードの内何れかの制御モードで調光点灯手段を制御する制御手段と、外部から入力されるモード切換信号に応じて制御手段の制御モードを定照度制御モード又は定出力制御モードの何れかに切り換える制御モード切換手段と、調光点灯手段の調光状態を外部より切り替えるための接点信号が入力される１乃至複数の接点入力部とを備え、制御モード切換手段は、接点入力部に接点信号が入力される際の制御モードをモード切換信号に応じて設定することを特徴とし、制御モード切換手段は、モード切換信号に応じて制御手段の制御モードを定出力制御モード又は定照度制御モードに切り換えているので、制御モードの切り換えを容易に行うことができ、使用状態に応じた制御モードを選択できるという効果がある。しかも、接点信号入力時の制御モードがモード切換信号によって設定されるので、外部からの接点信号により調光状態を制御する場合でも使用状態に応じた制御モードを選択できるという効果がある。
【図面の簡単な説明】
【図１】  本発明に係る照明装置の基本構成のブロック図である。
【図２】  同上の動作を説明するタイムチャートである。
【図３】  参考例１のブロック図である。
【図４】  同上の動作を説明するタイムチャートである。
【図５】  参考例２のブロック図である。
【図６】  同上の動作を説明するタイムチャートである。
【図７】  参考例３の照明装置のブロック図である。
【図８】  同上の動作を説明するタイムチャートである。
【図９】  同上の別の動作を説明するタイムチャートである。
【図１０】  参考例４の照明装置のブロック図である。
【図１１】  同上の動作を説明するタイムチャートである。
【図１２】  同上の別の動作を説明するタイムチャートである。
【図１３】  照明装置の一実施形態のブロック図である。
【図１４】  同上の照明装置を構成する制御部のブロック図である。
【図１５】  同上の動作を説明するタイムチャートである。
【図１６】  同上の別の動作を説明するタイムチャートである。
【図１７】  参考例５を構成する制御部のブロック図である。
【図１８】  同上の制御部に設けたメモリの記憶内容を説明する図である。
【図１９】  同上の照明装置を構成するワイヤレス信号送信部の外観図である。
【図２０】  従来の照明装置を示し、（ａ）は概略構成図、（ｂ）は制御部の下面図である。
【図２１】  同上のブロック図である。
【符号の説明】
１  制御部
３  明るさセンサ
４  ワイヤレス信号受信部
５  ワイヤレス信号送信部
１０  照明器具
１１  調光点灯部
１２  ランプ
Ｌ１  信号線
Ｓ１  調光信号
【図１】
0003733787.tif 000002
【図２】
0003733787.tif 000003
【図３】
0003733787.tif 000004
【図４】
0003733787.tif 000005
【図５】
0003733787.tif 000006
【図６】
0003733787.tif 000007
【図７】
0003733787.tif 000008
【図８】
0003733787.tif 000009
【図９】
0003733787.tif 000010
【図１０】
0003733787.tif 000011
【図１１】
0003733787.tif 000012
【図１２】
0003733787.tif 000013
【図１３】
0003733787.tif 000014
【図１４】
0003733787.tif 000015
【図１５】
0003733787.tif 000016
【図１６】
0003733787.tif 000017
【図１７】
0003733787.tif 000018
【図１８】
0003733787.tif 000019
【図１９】
0003733787.tif 000020
【図２０】
0003733787.tif 000021
【図２１】
0003733787.tif 000022